(57)【特許請求の範囲】
【請求項１】
導光板と、
前記導光板の端面に光を入射させる複数の光源と、
複数の表示パターンからなる表示像の画素に対応して前記導光板に設けられた複数の画素生成部と、を備え、
前記複数の画素生成部の各々は、各々が前記複数の光源からの入射光を前記導光板の出光面側に反射する複数の反射面を有し、
前記複数の光源は、前記導光板の１つの端面の中で発光色が異なり、
前記複数の光源が発光したとき、前記複数の反射面のそれぞれの面積に応じた量の光が前記導光板の出光面側に反射されることにより、前記複数の光源による混色光が出射され、
前記画素生成部の前記複数の反射面は、各々が前記複数の光源からの入射光を前記導光板の出光面側に反射する効率が最大となる向きに配置されていることを特徴とする表示装置。
【請求項２】
第１の端面及び第２の端面を有する導光板と、
前記第１の端面に光を入射させる第１の光源と、
前記第２の端面に光を入射させ、前記第１の光源とは異なる色で発光する第２の光源と、
複数の表示パターンからなる表示像の画素に対応して前記導光板に設けられた複数の画素生成部と、を備え、
前記複数の画素生成部の各々は、各々が前記第１の光源からの入射光を前記導光板の出光面側に反射する第１の反射面と、前記第２の光源からの入射光を前記導光板の出光面側に反射する第２の反射面とを有し、
前記第１の光源と前記第２の光源とが発光したとき、前記第１の反射面と前記第２の反射面のそれぞれの面積に応じた量の光が導光板の出光面側に反射されることにより、前記第１の光源と前記第２の光源とによる混色光が出射されることを特徴とする表示装置。
【請求項３】
請求項２に記載の表示装置において、
前記画素生成部の前記第１の反射面及び前記第２の反射面は、各々が前記第１の光源及び前記第２の光源からの入射光を前記導光板の出光面側に反射する効率が最大となる向きに配置されていることを特徴とする表示装置。
【請求項４】
請求項１〜３の何れか１項に記載の表示装置において、
前記画素生成部は、前記出光面側から見た形状が多角形である凹部を有し、
前記画素生成部の各々の反射面は、前記凹部の側面上に設けられていることを特徴とする表示装置。
【請求項５】
請求項４に記載の表示装置において、
前記画素生成部は、前記出光面側から見たとき、全ての内角が１８０°未満の多角形状を有することを特徴とする表示装置。
【請求項６】
請求項１〜５の何れか１項に記載の表示装置において、
前記複数の光源の光を集光する集光レンズが前記導光板の前記複数の端面に設けられていることを特徴とする表示装置。
【発明の詳細な説明】
【技術分野】
【０００１】
本発明は、導光板を用いて出光面側に所定の表示パターンを表示する表示装置に関する。
【背景技術】
【０００２】
従来、遊技機等に用いられる表示装置として、アクリル樹脂等の透明な導光板の端面から光を入射して、画像や文字、数字等を前面側に表示することが可能な表示装置が知られている。
【０００３】
例えば、特許文献１の表示装置では、導光板の入光端面１ａに入射した光源２からの光Ｌａは、クラスタＣ１の反射面Ｓ１Ａ、及びクラスタＣ３’の反射面Ｓ３Ａ’で反射して、導光板の出光面から出射する。これにより、出光面側における観察者は、表示パターンＤＰＡを視認することができる。
【０００４】
同様に、導光板の入光端面１ｂに入射した光源３からの光Ｌｂは、クラスタＣ２の反射面Ｓ２Ｂ、及びクラスタＣ３’の反射面Ｓ３Ｂ’で反射して、導光板の出光面から出射する。これにより、出光面側における観察者は、表示パターンＤＰＢを視認できる。
【０００５】
また、２つの光源２、３からの光を反射するためのクラスタＣ３’の密度は、クラスタＣ１、Ｃ２の密度と同一である。さらに、クラスタＣ３’は、溝の内角αが１８０°未満であるので、頂点Ｔの数が少なくなり、表示に寄与しない雑光が少なくなるため、表示均一性を向上することができる（段落００２３，００２４，図１，図２）。
【先行技術文献】
【特許文献】
【０００６】
【特許文献１】特開２０１６−１１８６６７号公報
【発明の概要】
【発明が解決しようとする課題】
【０００７】
しかしながら、特許文献１の表示装置は、複数の表示パターンを単色表示する仕様となっているので、光の入射方向に対応する反射面の比率は、どの領域でも一定となっている。このため、導光板の複数の端面から光を入射した場合に同じ色の発光しか得られず、表示装置として用途が限定されるという問題があった。
【０００８】
本発明は、このような事情に鑑みてなされたものであり、１枚の導光板で、多彩な発光や演出が行える表示装置を提供することを目的とする。
【課題を解決するための手段】
【０００９】
第１発明は、導光板と、前記導光板の端面に光を入射させる複数の光源と、複数の表示パターンからなる表示像の画素に対応して前記導光板に設けられた複数の画素生成部と、を備え、前記複数の画素生成部の各々は、各々が前記複数の光源からの入射光を前記導光板の出光面側に反射する複数の反射面を有し、前記複数の光源は、前記導光板の１つの端面の中で発光色が異なり、前記複数の光源が発光したとき、前記複数の反射面のそれぞれの面積に応じた量の光が前記導光板の出光面側に反射されることにより、前記複数の光源による混色光が出射され、前記画素生成部の前記複数の反射面は、各々が前記複数の光源からの入射光を前記導光板の出光面側に反射する効率が最大となる向きに配置されていることを特徴とする。
【００１０】
第１発明の表示装置は、導光板の端面に、複数の発光色が異なる光源が設けられており、光源からの入射光が出光面側に反射され、所定の混色光の表示パターン（表示像）が観察者に視認される。
【００１１】
特に、導光板の各々の画素生成部には、複数の光源からの入射光を反射する各々の反射面が設けられているので、入射光を各反射面により効率良く出光面側に反射する。
【００１２】
また、各々の反射面は、複数の光源からの入射光を出光面側に反射する効率が最大となるように配置されている。例えば、光源の発光色が赤色であった場合、濃い赤色の反射光が出光面から出射される。従って、１枚の導光板で多彩な発光や演出が行える表示装置を提供することができる。
【００１３】
第２発明の表示装置は、第１の端面及び第２の端面を有する導光板と、前記第１の端面に光を入射させる第１の光源と、前記第２の端面に光を入射させ、前記第１の光源とは異なる色で発光する第２の光源と、複数の表示パターンからなる表示像の画素に対応して前記導光板に設けられた複数の画素生成部と、を備え、前記複数の画素生成部の各々は、各々が前記第１の光源からの入射光を前記導光板の出光面側に反射する第１の反射面と、前記第２の光源からの入射光を前記導光板の出光面側に反射する第２の反射面とを有し、前記第１の光源と前記第２の光源とが発光したとき、前記第１の反射面と前記第２の反射面のそれぞれの面積に応じた量の光が導光板の出光面側に反射されることにより、前記第１の光源と前記第２の光源とによる混色光が出射されることを特徴とする。
第２発明の表示装置は、導光板の第１の端面に第１の光源を設け、第２の端面に第１の光源と発光色が異なる第２の光源を設ける。第１の光源、第２の光源からの入射光が、それぞれ第１の反射面、第２の反射面でそれぞれの面積に応じた光量で出光面側に反射されるため、所定の混色光の表示パターン（表示像）が観察者に視認される。
第２発明の表示装置において、前記画素生成部の前記第１の反射面及び前記第２の反射面は、各々が前記第１の光源及び前記第２の光源からの入射光を前記導光板の出光面側に反射する効率が最大となる向きに配置されていることが好ましい。
【００１４】
この構成によれば、画素生成部の各々の反射面（第１反射面、第２反射面）は、導光板の端面毎に発光色が異なる複数の光源（第１の光源、第２の光源）からの入射光に対し、反射効率が最大となるように向きを変えて配置されている。例えば、導光板の１つの端面から赤色、もう１つの端面から青色を入射すると、表示パターンに応じて色彩の濃淡が変化し、赤色と青色の混色光が現れる。これにより、より多彩な発光が可能となる。
【００１５】
また、第２発明の表示装置において、前記第１の光源又は前記第２の光源は、前記導光板の前記第１の端面又は前記第２の端面の中で発光色が異なり、前記画素生成部の前記第１の反射面及び前記第２の反射面は、各々が前記第１の光源又は前記第２の光源からの入射光を前記導光板の出光面側に反射する効率が最大となる向きに配置されていることが好ましい。
【００１６】
この構成によれば、画素生成部の各々の反射面（第１反射面、第２反射面）は、１つの端面に配置された発光色が異なる複数の光源からの入射光に対し、反射効率が最大となるように向きを変えて配置されている。例えば、導光板の１つの端面から赤色、青色、緑色を入射させると、反射面の面積比率により色彩の濃淡が変化するので、３色の混色によって様々な色彩が現れる。これにより、さらに多彩な発光が可能となる。
【００１７】
また、第２発明の表示装置において、前記画素生成部は、前記出光面側から見た形状が多角形である凹部を有し、前記画素生成部の各々の反射面は、前記凹部の側面上に設けられていることが好ましい。
【００１８】
この構成によれば、画素生成部の各々の反射面は、出光面側から見て多角形の凹部側面上に設けられているので、導光板の形状に応じた反射効率の高い反射面を容易に形成することができる。
【００１９】
また、本発明の表示装置において、前記画素生成部は、前記出光面側から見たとき、全ての内角が１８０°未満の多角形状を有することが好ましい。
【００２０】
画素生成部は、出光面側から見たとき、全ての内角が１８０°未満の多角形状を有するようにすると、表示に寄与しない反射光を出射する反射面が少なくなる。このため、雑光が減少し、鮮明な表示パターンを表示することができる。
【００２１】
また、第１又は第２発明の表示装置において、前記複数の光源の光を集光する集光レンズが前記導光板の前記複数の端面に設けられていることが好ましい。
【００２２】
この構成によれば、集光レンズを導光板の端面に設けていることで、複数の光源から出射された光が拡散せずに導光板の画素生成部に導光される。これにより、導光板が大型化されても発光強度が均一になり、より明瞭な表示パターンを表示することができる。
【図面の簡単な説明】
【００２３】
【図１Ａ】(ａ)第１実施形態の表示装置の導光板（四角形）を示す斜視図。（ｂ）導光板内の一部分の拡大図。
【図１Ｂ】（ａ）図１Ａ（ｂ）のＸ−Ｘ断面図。（ｂ）図１Ａ（ｂ）のＹ−Ｙ断面図。
【図２】図１Ａの導光板の画素生成部の形状例を説明する図。
【図３】（ａ）第１実施形態の表示装置の導光板（六角形）を示す斜視図。（ｂ）導光板内の一部分の拡大図。
【図４】図３の導光板内の画素生成部を説明する図。
【図５Ａ】第１実施形態（変形例）の表示装置の導光板（六角形）を示す斜視図。
【図５Ｂ】（ａ）画素生成部の変形例（１）を説明する図。（ｂ）画素生成部の変形例（２）を説明する図。（ｃ）画素生成部の変形例（３）を説明する図。
【図６Ａ】第２実施形態の表示装置の導光板（六角形）を示す斜視図。
【図６Ｂ】（ａ）図６Ａの導光板内の領域ｒ１の拡大図。（ｂ）図６Ａの導光板内の領域ｒ２の拡大図。
【発明を実施するための形態】
【００２４】
［第１実施形態］
以下、本発明の表示装置の第１実施形態について説明する。まず、図１Ａ，図１Ｂを参照して、四角形の導光板４を備える表示装置１について説明する。
【００２５】
図１Ａ（ａ）は、表示装置１の基本構成を示す全体斜視図である。表示装置１は、光源２ａ，２ｂと、光源２ａ，２ｂから出射された光を集光する集光レンズ３ａ，３ｂと、入射した光を出光面側（ｚ軸方向）に出射し、所定の表示パターンを表示する導光板４とで構成されている。
【００２６】
光源２ａ，２ｂは、複数の発光ダイオード（ＬＥＤ：Light Emitting Diode）を一列に並べた構造であり、導光板４の互いに隣り合う２つの端面に配設されている。光源２ａ，２ｂから出射された光は、各端面（入射面）に垂直な方向に進む。ここでは、光源２ａが赤色光、光源２ｂが青色光であるが、発光色は逆でもよい。なお、光源としては、電界発光素子や放電管等を用いてもよい。
【００２７】
集光レンズ３ａ，３ｂは、それぞれ光源２ａ，２ｂを構成する各発光ダイオードに対応させてレンズを一列に並べた構造であり、光源２ａ，２ｂと導光板４との間に配設されている。光源２ａ，２ｂから出射された光は、集光レンズ３ａ，３ｂで集光された後、導光板４の端面からその内部に入射する。なお、集光レンズ３ａ，３ｂを使用せず、光源２ａ，２ｂから出射された光が直接、導光板４の端面に入射する態様としてもよい。
【００２８】
導光板４は、例えば、透明なアクリル樹脂性の薄板であり、その端面から入射した光が全反射を繰り返して内部を進んでいく。導光板４を湾曲可能な材料で製造することもできる。また、導光板は、図示するような矩形のものが一般的であるが、出光面側から見たとき五角形や六角形等の多角形であってもよい。
【００２９】
また、導光板４の内部には、微小なプリズム状の画素生成部４ａが多数設けられている。画素生成部４ａは、導光板４の内部を進む光を反射する反射面を有しており、その光は反射面で反射され、導光板４の出光面側に出射される。
【００３０】
従って、導光板４は、表示したい文字や数字、画像等（本発明の「表示パターン」）に合わせて画素生成部４ａを配列している。これにより、画素生成部４ａの反射面で反射された光が表示したい文字等の１つの画素を構成し、観測者が画素の組み合わせによる表示像を視認できるようになる。
【００３１】
次に、図１Ａ（ｂ）は、導光板４の表示パターン「Ｃ」の一部分を拡大した図である。画素生成部４ａのうち黒色部は反射面であり、反射面４ａ１，４ａ２は、それぞれ光源２ａ，２ｂの入射面と平行な向きに配列されている。このため、２つの反射面４ａ１，４ａ２では、入射光が効率良く出光面側に出射される。なお、１つの画素生成部４ａのサイズは約１μｍ×１０μｍであり、実際は、表示パターン「Ａ」〜「Ｉ」に対応させて画素生成部４ａが配置されている。
【００３２】
次に、図１Ｂに、図１Ａ（ｂ）のＸ−Ｘ断面図、及びＹ−Ｙ断面図を示す。
【００３３】
まず、図１Ｂ（ａ）は、図１Ａ（ｂ）のＸ−Ｘ断面図である。画素生成部４ａは、出光面側（ｚ軸方向）から見たとき長方形状であるが（図１Ａ（ｂ）参照）、ｘｚ平面で示した場合、台形状の凹部となっている。そして、凹部の側面が光源２ｂからの光を反射する反射面４ａ２となっている。
【００３４】
次に、図１Ｂ（ｂ）は、図１Ａ（ｂ）のＹ−Ｙ断面図である。画素生成部４ａは、ｙｚ平面で示した場合にも台形状の凹部となっている。そして、凹部の側面が光源２ａからの光を反射する反射面４ａ１となっている。
【００３５】
次に、図２を参照して、光源２ａ，２ｂの発光比率と、導光板４の画素生成部４ａの形状例とを説明する。
【００３６】
例えば、表示パターン「Ｃ」は、導光板４では右上側に存在する（図１Ａ（ａ）参照）。図２に示されるように、光源２ａからの光を反射する反射面４ａ１と、光源２ｂからの光を反射する反射面４ａ２との面積比率は７０：３０となっており、光源２ａ，２ｂの発光比率も同じ値となっている（各光源の出力値自体は同一）。そして、この面積比率を反映した画素生成部のパターンが、図中の「画素生成部形状例」に示す形状である。
【００３７】
表示パターン「Ｃ」を構成する全ての画素生成部は、２つ反射面が、上記の面積比率となっている。このため、観察者にとって表示パターン「Ｃ」は、赤色と青色とを７：３の比率で混ぜた色彩の文字として認識される。
【００３８】
また、例えば、表示パターン「Ｅ」は、図１の導光板４では略中央に存在する（図１Ａ（ａ）参照）。図２に示されるように、光源２ａからの光を反射する反射面と、光源２ｂからの光を反射する反射面との面積比率は５０：５０となっており、光源２ａ，２ｂとの発光比率も同じ値となっている。そして、この面積比率を反映した画素生成部のパターンが、図中の「画素生成部形状例」に示す形状（正方形）である。
【００３９】
表示パターン「Ｅ」を構成する全ての画素生成部は、その反射面が、上記の面積比率となっているため、赤色の反射光と青色の反射光が同じ割合となり、観察者にとって表示パターン「Ｅ」は、赤色と青色とを１：１の比率で混ぜた色彩の文字として認識される。
【００４０】
このように、本実施形態の導光板４では、各表示パターンに応じて画素生成部４ａの反射面の面積比率を変更している。そして、表示パターンに応じて反射光の赤色成分と青色成分の比率が異なっているので、少しずつ色彩を変化させることができる表示装置が実現される。
【００４１】
図２に示した画素生成部のパターンは一例に過ぎず、反射面の面積比率は任意の値とすることができる。なお、多くの色彩を表示するためには、反射面の面積比率が等しい表示パターンが含まれないことが好ましい。
【００４２】
導光板が多角形であっても、各表示パターンを構成する画素生成部は、その反射面が、光源の入射面と平行な向きで配列される。以下、図３を参照して、六角形の導光板を備える表示装置の詳細を説明する。
【００４３】
図３（ａ）は、表示装置１０の基本構成を示す全体斜視図である。表示装置１０は、光源２０ａ，２０ｂ，２０ｃと、光源２０ａ，２０ｂ，２０ｃから出射された光を集光する集光レンズ３０ａ，３０ｂ，３０ｃと、入射した光を出光面側（ｚ軸方向）に出射し、所定の表示パターンを表示する六角形の導光板４０とで構成されている。
【００４４】
光源２０ａ，２０ｂ，２０ｃは、複数の発光ダイオードを一列に並べた構造であり、導光板４０の互いに隣り合わない３つの端面に配設されている。光源２０ａ，２０ｂ，２０ｃから出射された光は、各端面（入射面）に垂直な方向に進む。ここでは、光源２０ａが赤色光、光源２０ｂが緑色光、光源２０ｃが青色光であるが、発光色が異なっていれば、その位置は限定されない。
【００４５】
集光レンズ３０ａ，３０ｂ，３０ｃは、それぞれ光源２０ａ，２０ｂ，２０ｃの発光ダイオードに対応させてレンズを一列に並べた構造であり、光源２０ａ，２０ｂ，２０ｃと導光板４０との間に配設されている。光源２０ａ，２０ｂ，２０ｃから出射された光は、集光レンズ３０ａ，３０ｂ，３０ｃで集光された後、導光板４０の端面からその内部に入射する。
【００４６】
導光板４０の端面から入射した光は、全反射を繰り返して内部を進んでいく点で上述の導光板４と同じである。また、導光板４０の内部には、画素生成部４０ａが多数設けられ、画素生成部４０ａは、導光板４０の内部を進む光を反射する反射面を有している。そして、その光は反射面で反射され、導光板４０の出光面側に出射される。
【００４７】
従って、導光板４０は、表示したい文字や数字、画像等に合わせて画素生成部４０ａを配列している。これにより、画素生成部４０ａの反射面で反射された光が表示したい文字等の１つの画素を構成し、観測者が画素の組み合わせによる表示像を視認できるようになる。
【００４８】
次に、図３（ｂ）は、導光板４０の表示パターン「Ｍ」の一部分を拡大した図である。画素生成部４０ａのうち黒色部は反射面であり、反射面は、それぞれ光源２０ａ，２０ｂ，２０ｃの入射面と平行な向きで配列されている。このため、各反射面では、入射光が効率良く出光面側に出射される。
【００４９】
表示パターン「Ｍ」の画素生成部４０ａは、３方向からの入射光を反射する３つの反射面を有するが、１方向又は２方向からの入射光を反射する反射面しか持たない画素生成部もある。
【００５０】
次に、図４を参照して、光源２０ａ，２０ｂ，２０ｃの発光比率と、導光板４０の画素生成部４０ａの形状例とを説明する。
【００５１】
例えば、表示パターン「Ｃ」は、導光板４０では右下方に存在する（図３（ａ）参照）。図４に示されるように、光源２０ａからの光を反射する反射面と、光源２０ｂからの光を反射する反射面と、光源２０ｃからの光を反射する反射面との面積比率は５０：０：５０となっており、光源２０ａ，２０ｂ，２０ｃの発光比率も同じ値となっている。そして、この面積比率を反映した画素生成部のパターンが、図中の「画素生成部形状例」に示す形状（平行四辺形）である。
【００５２】
表示パターン「Ｃ」を構成する全ての画素生成部は、その反射面が、上記の面積比率となっており、光源２０ｂ（緑色光）からの光を反射する反射面を有していない。このため、表示パターン「Ｃ」では、赤色の反射光と青色の反射光が同じ割合となり、観察者にとって表示パターン「Ｃ」は、赤色と青色とを１：１の比率で混ぜた色彩の文字として認識される。
【００５３】
また、例えば、表示パターン「Ｍ」は、導光板４０では中央下方に存在する（図３（ａ）参照）。図４に示されるように、光源２０ａからの光を反射する反射面と、光源２０ｂからの光を反射する反射面と、光源２０ｃからの光を反射する反射面との面積比率は５０：２５：２５となっており、光源２０ａ，２０ｂ，２０ｃの発光比率も同じ値となっている。そして、この面積比率を反映した画素生成部のパターンが、図中の「画素生成部形状例」に示す形状（台形）である。
【００５４】
表示パターン「Ｍ」を構成する全ての画素生成部は、その反射面が、上記の面積比率となっている。このため、観察者にとって表示パターン「Ｍ」は、赤色と緑色と青色とを２：１：１の比率で混ぜた色彩の文字として認識される。
【００５５】
図４に示されるように、表示パターン「Ａ」は、光源２０ａ（赤色光）からの光を反射する反射面しか有していない。従って、この面積比率を反映した画素生成部のパターンが、図中の「画素生成部形状例」に示す形状（直線状）である。なお、表示パターン「Ｉ」のように、光源２０ｂからの光を反射する反射面しか有していない直線状のパターンもある。
【００５６】
画素生成部４０ａは、直線状のものも長方形状とみれば、出光面側から見て全て多角形であり、少なくとも光源２０ａ，２０ｂ，２０ｃのうちの１つが配設された入射面と平行な向きの反射面を有している。そして、多角形の溝（凹部）の側面上に反射面が形成されている。
【００５７】
このように、本実施形態の導光板４０では、各表示パターンに応じて画素生成部の反射面の面積比率を変更している。表示パターンに応じて反射光の赤色成分と緑色成分と青色成分の比率が異なるので、少しずつ色彩を変化させることができる表示装置が実現される。
【００５８】
図３に示した表示装置１０は、導光板４０の互いに隣り合わない３つの端面に光源２０ａ，２０ｂ，２０ｃが配設されていたが、光源を導光板４０の互いに隣り合う３つの端面に配設してもよい。
【００５９】
以下、図５Ａ，図５Ｂを参照して、導光板４０の互いに隣り合う３つの端面に光源が配設されている表示装置１０’について説明する。なお、図３と同じ構成については同じ符号を付し、説明を省略する。
【００６０】
図５Ａに示すように、表示装置１０’では、赤色光の光源２０ａが導光板４０の下辺側、緑色光の光源２０ｂが導光板４０の左下側、青色光の光源２０ｃが右下側の各端面に配設されている。光源２０ａ，２０ｂ，２０ｃから出射された光は、各端面（入射面）に垂直な方向に進む。なお、発光色は、互いに交換可能である。
【００６１】
光源２０ａ，２０ｂ，２０ｃから出射された光は、集光レンズ３０ａ，３０ｂ，３０ｃで集光された後、導光板４０の端面からその内部に入射する。また、導光板４０の内部には、反射面を有する画素生成部４０ａが多数設けられており、その光は反射面で反射され、導光板４０の出光面側に出射される。
【００６２】
図５Ｂ（ａ）〜（ｃ）は、導光板４０の領域ｒで表示パターン「Ｓ」を構成し得る３種類の画素生成部の形状例である。画素生成部４０ａは、図４に示した形状でもよいが、ここでは、その他の形状例を説明する。
【００６３】
まず、図５Ｂ（ａ）に、３つの直線状のパターンを光源２０ａ，２０ｂ，２０ｃが配設された各端面と平行に配置した画素生成部４０ａ−１を示す。画素生成部４０ａ−１において、各パターンは、導光板４０に垂直な面で切断した断面が三角形状の凹部であり、それぞれの凹部の側面Ａ１，Ｂ１，Ｃ１（黒色部）が反射面となっている。
【００６４】
反射面Ａ１は、光源２０ａからの赤色光を出光面側に反射する向きに配設されている。また、反射面Ｂ１，Ｃ１は、それぞれ光源２０ｂからの緑色光、光源２０ｃからの青色光を出光面側に反射する向きに配設されている。
【００６５】
次に、図５Ｂ（ｂ）に、光源２０ａ，２０ｂ，２０ｃが配設された各端面と平行な辺を有する画素生成部４０ａ−２を示す。画素生成部４０ａ−２は、出光面側から見たときの形状が台形状の凹部であり、凹部の側面Ａ２，Ｂ２，Ｃ２（黒色部）が反射面となっている。
【００６６】
反射面Ａ２は、光源２０ａからの赤色光を出光面側に反射する向きに配設されている。また、反射面Ｂ２，Ｃ２は、それぞれ光源２０ｂからの緑色光、光源２０ｃからの青色光を出光面側に反射する向きに配設されている。
【００６７】
次に、図５Ｂ（ｃ）に、光源２０ａ，２０ｂ，２０ｃが配設された各端面と平行な辺を有する画素生成部４０ａ−３を示す。画素生成部４０ａ−３は、導光板４０に垂直な面で切断した断面が台形状の凹部であり、凹部の側面Ａ３，Ｂ３，Ｃ３（黒色部）が反射面となっている。
【００６８】
反射面Ａ３は、光源２０ａからの赤色光を出光面側に反射する向きに配設されている。また、反射面Ｂ３，Ｃ３は、それぞれ光源２０ｂからの緑色光、光源２０ｃからの青色光を出光面側に反射する向きに配設されている。
【００６９】
図５Ｂ（ａ）〜（ｃ）の何れの場合にも、反射面は、溝部（凹部）の側面上に設けられている。また、画素生成部は、出光面側から見たとき、全ての内角が１８０°未満の多角形状を有している。このような形状とすることで、表示に寄与しない反射光を出射する反射面が少なくなる。従って、雑光が減少するので、出光面側に鮮明な表示パターンを表示することができる。
【００７０】
以上のように、第１実施形態の導光板４，４０は、表示パターンに応じて画素生成部４ａ，４０ａの反射面の面積比率を異ならせている。また、導光板４，４０の異なる端面に発光色の異なる光源が配設されているため、一色の出射光、また、混色の出射光にも濃淡が生じる。これにより、表示装置１，１０は、多彩で鮮やかな発光が可能となっている。
【００７１】
［第２実施形態］
次に、図６Ａ，図６Ｂを参照して、本発明の表示装置の第２実施形態について説明する。まず、図６Ａに、六角形の導光板５０を備える表示装置１００を示す。
【００７２】
表示装置１００には、導光板５０の１つの端面にそれぞれ発光色が異なる光源２０ａ’，２０ｂ’，２０ｃ’が配設されている。また、光源２０ａ’，２０ｂ’，２０ｃ’から出射された光を集光する集光レンズ３０ａ’，３０ｂ’，３０ｃ’が、光源２０ａ’，２０ｂ’，２０ｃ’と導光板５０との間に配設されている。
【００７３】
ここでは、中央の光源２０ａ’が赤色光、左側の光源２０ｂ’が緑色光、右側の光源２０ｃ’が青色光であるが、発光色の順番は、特に限定されない。また、光源２０ａ’，２０ｂ’，２０ｃ’の組み合せを導光板５０の複数の端面に配設してもよい。
【００７４】
光源２０ａ’，２０ｂ’，２０ｃ’から出射された光は、集光レンズ３０ａ’，３０ｂ’，３０ｃ’で集光された後、導光板５０の端面からその内部に入射し、入射光が全反射を繰り返してその内部を進んでいく。
【００７５】
導光板５０の内部には、画素生成部５０ａが多数設けられ、画素生成部５０ａは、導光板５０の内部を進む光を反射する反射面を有している。そして、その光は反射面で反射され、導光板５０の出光面側に出射される。
【００７６】
ここで、表示装置１００では、導光板５０の１つの端面に発光色の異なる光源２０ａ’，２０ｂ’，２０ｃ’が配設されているため、上述の表示装置１０の導光板４０（図３、図４参照）とは、画素生成部の反射面の向きが異なっている。
【００７７】
表示装置１０の導光板４０では、１つの表示パターン内は、同じ形状の画素生成部が配列されていたが、表示装置１００の導光板５０では、１つの表示パターン内でも、各光源との方位に応じて反射面の向きが異なる画素生成部が配列されている。
【００７８】
ここで、図６Ｂに、図６Ａの領域ｒ１，ｒ２における画素生成部５０ａを示す。なお、画素生成部５０ａは、表示パターンやその位置により様々な形状があるが、ここでは、図５Ｂ（ａ）で示した３つの直線状のパターンで説明する。
【００７９】
まず、表示パターン「Ａ」の上側の領域ｒ１は、光源２０ａ’からの入射光を反射する反射面Ａ１’を有する。反射面Ａ１’は、光源２０ａ’が配設された端面と平行な向きである。
【００８０】
一方、光源２０ｂ’，２０ｃ’からの入射光は同心円状に広がるため、表示パターン「Ａ」の画素生成部５０ａには、所定の角度で入射する。このため、反射面Ｂ１’と反射面Ｃ１’とは、図示するように、光源２０ｂ’，２０ｃ’からの入射光が効率良く反射される向きとなっている。
【００８１】
次に、表示パターン「Ｂ」の左下側の領域ｒ２の画素生成部５０ａを説明する。この場合、光源２０ｃ’からの入射光を反射する反射面Ｃ１’は、光源２０ｃ’が配設された端面と平行な向きである。
【００８２】
一方、光源２０ａ’，２０ｂ’からの入射光は同心円状に広がるため、表示パターン「Ｂ」の画素生成部５０ａには、所定の角度で入射する。光源２０ａ’は、画素生成部５０ａと比較的距離が近いため、反射面Ａ１’は、水平方向から４０°〜５０°傾斜した向きに配置されている。
【００８３】
また、光源２０ｂ’は、画素生成部５０ａと比較的距離が離れているため、その入射光は、光源２０ａ’からの入射光よりも広がっている。このため、反射面Ｂ１’は、水平方向から７０°〜８０°傾斜した向きに配置されている。
【００８４】
このように、第２実施形態の導光板５０は、表示パターンだけでなく、発光色の異なる複数の光源からの位置（方位）に応じて、入射光の反射効率が最大となるように各々の画素生成部５０ａの反射面の向きを変えて配置されている。また、導光板５０の１つの端面の中に発光色の異なる光源が配置されているため、混色の出射光にも濃淡が生じる。これにより、表示装置１００は、多彩で鮮やかな発光が可能となっている。
【００８５】
上記実施形態は、本発明の実施形態の一例であり、これ以外にも様々な変形例が考えられる。表示装置の導光板は、表示パターンが異なる導光板を複数重ねて用いることもできる。この場合、各表示パターンを重ねて１つの表示像とすることができ、より複雑な表示像に対応させることができる。
【００８６】
上述の四角形の導光板４や六角形の導光板４０では、対向する端面から単一色の、又は発光色の異なる光を入射させてもよい。単一色の場合には、反射光の量が大きくなる分、鮮明な表示とすることができ、発光色が異なる場合には、混色により多彩な発光色を出射させることができる。
【００８７】
また、画素生成部の反射面は、平面状に限られない。例えば、曲面状の反射面を形成することで、平面状の反射面とは異なる反射光を出射させることができる。
【００８８】
上記実施形態の表示装置は、例えば、遊技機製品に用いられる。具体的には、通常時には、導光板４が透明であるため遊技者はその存在に気付かないが、所定のタイミングで導光板に光を入射して、演出を実行することができる。また、表示装置は、広告や案内用の表示装置としても利用することができる。
【符号の説明】
【００８９】
１，１０，１０’，１００…表示装置、２ａ，２ｂ，２０ａ，２０ｂ，２０ｃ，２０ａ’，２０ｂ’，２０ｃ’…光源、３ａ，３ｂ，３０ａ，３０ｂ，３０ｃ，３０ａ’，３０ｂ’，３０ｃ’…集光レンズ、４，４０，５０…導光板、４ａ，４０ａ，５０ａ…画素生成部。
【図１Ａ】
0006989303.tif 000002
【図１Ｂ】
0006989303.tif 000003
【図２】
0006989303.tif 000004
【図３】
0006989303.tif 000005
【図４】
0006989303.tif 000006
【図５Ａ】
0006989303.tif 000007
【図５Ｂ】
0006989303.tif 000008
【図６Ａ】
0006989303.tif 000009
【図６Ｂ】
0006989303.tif 000010